(57)【要約】【課題】接着剤のはみ出しを抑制して装飾性を向上させることができるリール固定装置のフードを提供する。【解決手段】魚釣用リールＲの釣竿取付脚Ｒ１を固定可能なリール固定装置１０のフードであって、釣竿取付脚Ｒ１が挿入される挿入部２１と、挿入部２１に取り付けられる操作つまみ２２と、を備えている。操作つまみ２２は、筒状の基部２３と、基部２３の外周側に取り付けられる筒状のカバー部材２６と、基部２３からカバー部材２６が分離するのを規制する分離規制部と、を備えている。分離規制部は、基部２３の外周面に形成された被係合部と、カバー部材２６の内周面に形成され、被係合部に係合される係合部と、を備えている。【選択図】図２
2018068227.tif 000002
【特許請求の範囲】
【請求項１】
魚釣用リールの釣竿取付脚を固定可能なリール固定装置のフードであって、
前記釣竿取付脚が挿入される挿入部と、
前記挿入部に取り付けられる操作つまみと、を備え、
前記操作つまみは、
筒状の基部と、
前記基部の外周側に取り付けられる筒状のカバー部材と、
前記基部から前記カバー部材が分離するのを規制する分離規制部と、を備え、
前記分離規制部は、
前記基部の外周面に形成された被係合部と、
前記カバー部材の内周面に形成され、前記被係合部に係合する係合部と、を備えていることを特徴とするリール固定装置のフード。
【請求項２】
前記被係合部に対して前記係合部が接着剤で接着されていることを特徴とする請求項１に記載のリール固定装置のフード。
【請求項３】
前記基部の外周面に接着剤で固定されるリング状部材を備え、
前記被係合部は、前記リング状部材の外周面に形成される雄ねじ部であり、
前記係合部は、前記カバー部材の内周面に形成され、前記雄ねじに螺合する雌ねじ部であることを特徴とする請求項１または請求項２に記載のリール固定装置のフード。
【請求項４】
前記基部の外周面に装着される装飾部材と、
前記カバー部材に形成された貫通孔と、を備え、
前記装飾部材は、前記貫通孔を通じて前記カバー部材の外部から目視可能であることを特徴とする請求項１から請求項３のいずれか１項に記載のリール固定装置のフード。
【発明の詳細な説明】
【技術分野】
【０００１】
本発明は、リール固定装置のフードに関するものである。
【背景技術】
【０００２】
従来、魚釣用リールの釣竿取付脚を釣竿に固定するための装置として、リール固定装置が知られている。例えば、特許文献１に開示されたリール固定装置は、魚釣用リールの釣竿取付脚が載置される載置部を備えたリールシート本体を備えている。リールシート本体の一端には、釣竿取付脚の一端を固定する固定フードが設けられている。リールシート本体の他端には、固定フードに対向して移動可能に移動フードが取り付けられている。
【０００３】
移動フードは、釣竿取付脚の他端が挿入される挿入部と、挿入部に回動自在に取り付けられる操作つまみと、を備えて構成されている。操作つまみは、リールシート本体の他端に形成されたねじ部に螺合する筒状の基部と、基部の外周面に装着される装飾用のカバー部材と、を備えて構成されている。
カバー部材は、接着剤を用いて基部に固定されている。接着剤は、基部の外周面とカバー部材の内周面との両方に塗布される。
【先行技術文献】
【特許文献】
【０００４】
【特許文献１】特開２０１４−１６１２３４号公報
【発明の概要】
【発明が解決しようとする課題】
【０００５】
しかしながら、従来のリール固定装置では、基部の外周面とカバー部材の内周面との両方に接着剤を塗布していたため、組み付け時にカバー部材の端部等から余分な接着剤がはみ出して装飾性が損なわれるおそれがあった。また、近年、移動フードの装飾性を高めるために、カバー部材に対して貫通孔を形成することが検討されている。そして、このようなカバー部材を用いた場合には、はみ出した接着剤が貫通孔内に入り込み易かった。したがって、組み付け時には、はみ出さないように接着剤の量を調整したり、はみ出した接着剤を除去する等の熟練した作業が必要であった。なお、接着剤のはみ出しを抑制するあまり、接着剤の量を少なくしてしまうと、接着強度が低下するおそれもある。
【０００６】
本発明は、前記課題を解決するためになされたものであり、接着剤のはみ出しを抑制して装飾性を向上させることができるリール固定装置のフードを提供することを目的とする。
【課題を解決するための手段】
【０００７】
前記目的を達成するために本発明のリール固定装置のフードは、魚釣用リールの釣竿取付脚を固定可能なリール固定装置のフードであって、前記釣竿取付脚が挿入される挿入部と、前記挿入部に取り付けられる操作つまみと、を備えている。前記操作つまみは、筒状の基部と、前記基部の外周側に取り付けられる筒状のカバー部材と、前記基部から前記カバー部材が分離するのを規制する分離規制部と、を備えている。前記分離規制部は、前記基部の外周面に形成された被係合部と、前記カバー部材の内周面に形成され、前記被係合部に係合される係合部と、を備えている。
【０００８】
このリール固定装置のフードでは、被係合部と係合部とからなる分離規制部を介して基部にカバー部材が取り付けられる。これにより、組付性に優れる。また、基部とカバー部材との固定において、接着剤を不要とすること、または接着剤を少量とすることができる。
【０００９】
また、前記したリール固定装置のフードにおいて、前記被係合部に対して前記係合部が接着剤で接着されているのがよい。このように構成することによって、被係合部と係合部とを接着剤で固着することができ、基部からカバー部材が分離するのをより好適に規制することができる。
【００１０】
また、前記したリール固定装置のフードにおいて、前記基部の外周面に接着剤で固定されるリング状部材を備え、前記被係合部は、前記リング状部材の外周面に形成される雄ねじ部であり、前記係合部は、前記カバー部材の内周面に形成され、前記雄ねじに螺合する雌ねじ部であるのがよい。このように、分離規制部をねじの螺合による係合構造とすることによって、基部からカバー部材が分離するのをより好適に規制することができる。また、基部に対するカバー部材の組付性に優れる。
【００１１】
また、被係合部が、基部の外周面に接着剤で固定されるリング状部材からなるので、基部に対して被係合部を固定する際に接着剤がはみ出しても、カバー部材を装着する前にこれを除去しておくことができる。したがって、接着剤のはみ出しを抑制して装飾性を向上させることができる。
また、被係合部がリング状部材からなるので、基部に対して被係合部を容易に設けることができる。これにより、既存の基部に対しても被係合部を追加で容易に設けることができる。
【００１２】
また、前記したリール固定装置のフードにおいて、前記基部の外周面に装着される装飾部材と、前記カバー部材に形成された貫通孔と、を備え、前記装飾部材が前記貫通孔を通じて前記カバー部材の外部から目視可能であるのがよい。このように構成することによって、装飾性をより向上させることができる。また、接着剤がはみ出して貫通孔内に入り込むことが好適に抑制される。したがって、生産性の低下を来すおそれもない。
【発明の効果】
【００１３】
本発明によれば、接着剤のはみ出しを抑制して装飾性を向上させることができるリール固定装置のフードが得られる。
【図面の簡単な説明】
【００１４】
【図１】本発明の一実施形態に係るリール固定装置のフードが適用されるリール固定装置および釣竿の一部を示す側面図である。
【図２】リール固定装置のフードおよびリールシート本体の前端部を示す拡大縦断面図である。
【図３】（ａ）はリール固定装置のフードおよびリールシート本体の前端部を示す斜視図、（ｂ）は同じく分解斜視図である。
【図４】（ａ）から（ｄ）はリール固定装置のフードの組付手順を示す斜視図である。
【図５】リール固定装置のフードの変形例を示す拡大縦断面図である。
【発明を実施するための形態】
【００１５】
以下、本発明の実施形態のリール固定装置のフードについて、図面を参照して説明する。以下の説明において、「前」側は、釣竿の竿先側を言い、「後」側は、釣竿のグリップ側を言う。
【００１６】
［リール固定装置の概要］
図１に示すように、リール固定装置１０は、魚釣用リールＲを固定するためのものである。
リール固定装置１０は、釣竿を構成する竿杆１の後側であってグリップ２の前側となるように竿杆１に固定されている。よって、リール固定装置１０に固定される魚釣用リールＲは、グリップ２の前方に配置された状態で釣竿に固定される。
なお、竿杆１は、例えば、炭素繊維やガラス繊維等を含む強化繊維に、エポキシ樹脂等の合成樹脂を含浸した繊維強化樹脂材で構成されており、管状体あるいは中実体として構成されている。竿杆１は、１本で構成されていてもよいし、複数の竿杆を継合する構成であってもよい。
【００１７】
リール固定装置１０は、竿杆１に外嵌される筒状のリールシート本体（以下、本体と称する）１１と、本体１１の前部に取り付けられた移動フード２０と、リールシート本体１１の後部に一体に形成された固定フード１３と、を備えている。
リール固定装置１０は、魚釣用リールＲの釣竿取付脚Ｒ１を固定フード１３に差し込んだ状態で、移動フード２０を本体１１の軸方向に移動させることによって魚釣用リールＲを着脱する構成となっている。
なお、本発明のリール固定装置１０は、本体１１の前部に固定フード１３が設けられ、本体１１の後部に移動フード２０が取り付けられる構成であってもよい。
【００１８】
［本体］
本体１１は、例えば、ＡＢＳ樹脂、ナイロン、ポリカーボネート等の合成樹脂によって形成されている。
本体１１は、竿杆１に対して接着剤等で固定される。本体１１の外周側の上面には、魚釣用リールＲの釣竿取付脚Ｒ１が載置される載置面１２が形成されている。
載置面１２は、平坦状であり、本体１１の軸方向に延在している。
【００１９】
固定フード１３は、前方に向って開口する挿入穴１３ａを備えている。挿入穴１３ａには、魚釣用リールＲの釣竿取付脚Ｒ１の後部Ｒ１２が挿入されて後部Ｒ１２が固定フード１３に保持される。
また、本体１１の後部の外周面において、固定フード１３の径方向反対側、つまり、下面には、指を引っ掛けるトリガー１４が形成されている。
【００２０】
図３（ａ）（ｂ）に示すように、本体１１の前部の外周面には、ねじ（以下、雄ねじ１５という）が形成されている。本体１１の前部の上面には、前後方向に延在する平らなガイド面１５ｃが形成されている。また、本体１１の前部の下面には、前後方向に延在する図示しない溝部が形成されている。
【００２１】
［移動フード］
移動フード２０は、挿入部２１と、挿入部２１に取り付けられる操作つまみ部２２と、を備えている。
【００２２】
［移動フードの挿入部］
挿入部２１は、本体１１の前部に外嵌され、本体１１の前部に対し軸方向遊動可能に装着されている。
挿入部２１の上部には、後方の上方へ向けて膨出する受入部２１ｃが形成されている。
受入部２１ｃの内周面は、本体１１の載置面１２に対し離間しており、受入部２１ｃの内周面と載置面１２との間に、後方に向って開口する隙間が形成されている。
そして、この隙間に魚釣用リールＲの釣竿取付脚Ｒ１の前部Ｒ１１が挿入され、前部Ｒ１１が移動フード２０に保持される。
【００２３】
挿入部２１の上内面２１ｅは、平らに形成されて、本体１１のガイド面１５ｃに摺接している。
一方、挿入部２１の下内面には、軸方向に延在する突条部２１ｄが形成されて本体１１の図示しない溝部に入り込んでいる。よって、挿入部２１は、本体１１の前部に対して周方向に回動不能かつ軸方向にスライド可能に装着されている。
【００２４】
挿入部２１の前端部には、図２に示すように、操作つまみ部２２を取り付けるための略円筒状の連結部が設けられている。
連結部は、小径とされた段部２１ｂと、段部２１ｂを介して前方へ延在し、断面鈎状に形成された環状の係止部２１ａとを備えている。
【００２５】
［移動フードの操作つまみ部］
操作つまみ部２２は、筒状の基部２３と、基部２３を覆うように基部２３に取り付けられる筒状のカバー部材２６と、基部２３からカバー部材２６が分離するのを規制する分離規制部の被係合部として機能するリング状部材２７と、を備えている。
【００２６】
基部２３は、後端円筒部２３ａと、後端円筒部２３ａから前方に延在する筒部２３ｂと、を備えている。
後端円筒部２３ａ内には、連結部が挿入されている。
また、後端円筒部２３ａの後端には、内周面の径方向内側に突出する後端フランジ部２３ｈが形成されている。
そして、後端フランジ部２３ｈは、操作つまみ部２２の段部２１ｂに入り込み、挿入部２１の係止部２１ａと軸方向に係止している。このため、操作つまみ部２２は、挿入部２１に対して回動可能に取り付けられている。
【００２７】
筒部２３ｂの内面には、本体１１の雄ねじ１５に螺合する雌ねじ２３ｅが形成されている。よって、基部２３（筒部２３ｂ）が周方向に回動すると、基部２３は、雄ねじ１５に案内されて軸方向に移動する。
また、基部２３と挿入部２１とは軸方向に係止していることから、基部２３の前後動に伴って挿入部２１も前後動し、移動フード２０と固定フード１３との距離が変化するようになっている。
なお、筒部２３ｂの外周面には、図３（ｂ）に示すように、軸方向に延びる溝２３ｃが形成されている。溝２３ｃは、周方向の所定の間隔を置いて複数形成されており、接着剤を保持する接着剤だまりとして機能する。
【００２８】
筒部２３ｂの外周面には、後ろから順に、リング状部材２７、装飾部材２８、リング部２９が装着されている。
【００２９】
リング状部材２７は、カバー部材２６を筒部２３ｂに取り付けるための部材として機能し、併せて、カバー部材２６が筒部２３ｂから外れて分離するのを規制する分離規制部の被係合部として機能する。
リング状部材２７は、扁平なリング状を呈している。
リング状部材２７の外周面には、カバー部材２６をリング状部材２７に螺合するための被係合部としての雄ねじ部２７ｂが形成されている。
【００３０】
このようなリング状部材２７は、接着剤を用いて筒部２３ｂの外周面に固着される。リング状部材２７は、図２に示すように、基部２３の後端円筒部２３ａと筒部２３ｂとの段差部分の側壁２３ｆに後端部が当接する状態で、つまり、筒部２３ｂの最後端部に取り付けられている。これにより、筒部２３ｂにおけるリング状部材２７の前側部分を装飾部材２８が配置される領域として好適に使用することができる。
【００３１】
装飾部材２８は、筒状を呈し、例えば、エポキシ樹脂等の合成樹脂を含浸した繊維強化樹脂材で形成されている。装飾部材２８の外表面には、カーボン繊維が細かく編み込まれた格子模様に近い疑似模様の装飾層が備わる。装飾部材２８は、筒部２３ｂに対して接着剤を用いずに装着することが可能であり、また、接着剤を用いて装着することも可能である。これにより、接着剤を不要とすること、または接着剤を少量とすることができ、接着剤のはみ出しを抑制して作業性、装飾性の向上が図られる。
【００３２】
リング部２９は、接着剤により筒部２３ｂの前端部２３ｄに対して固定される。リング部２９は、装飾部材２８の抜け止め用の部材として機能する。
【００３３】
カバー部材２６は、基部２３の筒部２３ｂに装着されて筒部２３ｂを覆う部材であり、装飾性を備えている。カバー部材２６の外周面には、周方向に所定の間隔を空けて複数の貫通孔２６ａが形成されている。各貫通孔２６ａは湾曲したスリット状を呈している。各貫通孔２６ａは、装飾部材２８と径方向に重なっており、各貫通孔を通じて、筒部２３ｂに装着された装飾部材２８が目視可能である。
【００３４】
カバー部材２６の後端部の内周面には、図２に示すように、分離規制部の係合部として機能する雌ねじ部２６ｂが形成されている。雌ねじ部２６ｂは、リング状部材２７の雄ねじ部２７ｂに螺合可能である。カバー部材２６は、リング状部材２７の雄ねじ部２７ｂに対して雌ねじ部２６ｂを螺合することによって、筒部２３ｂに取り付けられる。つまり、ねじの螺合による簡単な組み付けによって、基部２３にカバー部材２６を取り付けることができる。
【００３５】
［移動フードの組み付け］
次に、移動フードの組み付けについて図４を参照して説明する。なお、予め、挿入部２１に操作つまみ部２２の基部２３を取り付けておく。
【００３６】
まず、図４（ａ）に示すように、基部２３の筒部２３ｂの外周面に、図示しない接着剤を塗布し、リング状部材２７を装着する。この場合、筒部２３ｂの溝２３ｃ内に接着剤が保持され、筒部２３ｂの外周面に対してリング状部材２７が強固に固着（固定）される。なお、リング状部材２７には、カバー部材２６を指で操作する際の操作力が直接作用するため、接着剤を介して筒部２３ｂにリング状部材２７が強固に固着（固定）されることが好ましい。また、接着剤を塗布する部分がリング状部材２７の大きさに対応する面積で十分であるので、筒部２３ｂのその他の部分に接着剤を塗布する必要がない。また、リング状部材２７を装着する際に、仮に接着剤がリング状部材２７の側方にはみ出したとしても、これを好適に除去することができる。この場合に、筒部２３ｂの外周面の他の部分が除去した接着剤によって汚れたとしても、その部分は装飾部材２８の装着によって隠れるため、装飾性が損なわれることが抑制される。
【００３７】
また、リング状部材２７は、取付強度を有することから軸方向に幅狭に形成することができるので、その分、カバー部材２６の貫通孔２６ａを大きく形成することができる。したがって、カバー部材２６のデザインの自由度が増すとともに、装飾性が向上する。
【００３８】
その後、図４（ｂ）に示すように、筒部２３ｂの外周面に装飾部材２８を装着する。この場合、接着剤を用いずに装飾部材２８を装着することができるので組付性がよい。
【００３９】
筒部２３ｂに装飾部材２８を装着したら、図４（ｃ）に示すように、リング部２９を筒部２３ｂの前端部２３ｄに装着する。ここで、リング部２９は、接着剤で固着（固定）する。これにより、筒部２３ｂに装飾部材２８が抜け止め保持される。
【００４０】
その後、図４（ｄ）に示すように、筒部２３ｂにカバー部材２６を装着し、リング状部材２７の雄ねじ部２７ｂにカバー部材２６の雌ねじ部２６ｂを螺合する。これにより、リング状部材２７を介して、カバー部材２６が筒部２３ｂに取り付けられる。
ここで、カバー部材２６の取り付けに先立って、リング状部材２７の雄ねじ部２７ｂまたはカバー部材２６の雌ねじ部２６ｂに対して接着剤を塗布し、接着剤を介して雄ねじ部２７ｂと雌ねじ部２６ｂとを固着することが好ましい。このように、雄ねじ部２７ｂと雌ねじ部２６ｂとを接着剤で固着することによって、リング状部材２７にカバー部材２６を強固に固定することができる。つまり、リング状部材２７とカバー部材２６とは、ねじによる螺合構造となっているので、例えば、平らな面同士による接着構造に比べて接着面積が増加する。したがって、リング状部材２７は、軸方向の幅が比較的短いものであっても、充分な接着力を維持できる。したがって、基部２３に対するカバー部材２６の固定をより強固なものとすることができる。ここで、リング状部材２７の軸方向の幅は、例えば、５ｍｍ以下に設定することができる。
また、螺合構造により接着面積が増加するので、平らな面同士による接着構造に比べて接着剤のはみ出しが抑制される。もちろん、リング状部材２７の軸方向の幅を５ｍｍ以下に設定した場合でも、接着剤のはみ出しが好適に抑制される。
【００４１】
また、リング状部材２７は、基部２３と別体に構成されているので、雄ねじ部２７ｂの加工精度（寸法精度）が向上している。これにより、接着強度が向上しカバー部材２６の強固な固着が実現される。
以上のようにして、移動フード２０の組み付けが完了する。
【００４２】
図５にカバー部材２６の変形例を示す。この変形例では、装飾部材２８およびリング部２９の外周面とカバー部材２６との間に隙間Ｓ１を形成している。このように隙間Ｓ１を形成することによって、装飾性をより向上させることができる。また、接着剤がはみ出して貫通孔２６ａ内にへ入り込むことがより好適に抑制される。ここで、ねじの螺合構造を構成しているリング状部材２７は、別体に構成されることで雄ねじ部２７ｂの加工精度（寸法精度）が向上しているので、隙間Ｓ１の精度を確保することに寄与している。
【００４３】
なお、前記の図２に示したカバー部材２６では、カバー部材２６を装飾部材２８およびリング部２９に外装可能とするために、これらとの間にごく僅かな隙間を形成している（不図示）。したがって、カバー部材２６は、装飾部材２８およびリング部２９の外周面に対して略密着した状態で外装される。これにより、カバー部材２６の装着安定性が向上している。
【００４４】
一方、図５に示した変形例のカバー部材２６では、装飾部材２８およびリング部２９の外周面との間に隙間Ｓ１を形成しているので、貫通孔２６ａの奥に隙間Ｓ１を介して装飾部材２８およびリング部２９が目視可能となり、装飾性が向上する。
この場合、隙間Ｓ１をさらに拡げることによって、貫通孔２６ａを通じて目視される装飾部材２８およびリング部２９との距離感が増し、カバー部材２６の片持ちによる支持構造も際立つ状態となって、装飾性がさらに向上する。このように隙間Ｓ１をさらに拡げた場合にも、リング状部材２７による固定構造によって、カバー部材２６を強固に固着することができ、剛性感のある操作性を確保することができる。
【００４５】
以上説明した本実施形態によれば、雄ねじ部２７ｂ（被係合部材）と雌ねじ部２６ｂ（係合部材）とからなるリング状部材２７を介して、基部２３にカバー部材２６が取り付けられる。したがって、組付性に優れる。また、基部２３とカバー部材２６との固定において、接着剤を不要とすること、または接着剤を少量とすることができる。
【００４６】
なお、接着剤を用いた場合には、雄ねじ部２７ｂと雌ねじ部２６ｂとを接着剤で強固に固着することができる。リング状部材２７は、カバー部材２６を指で操作する際の操作力が直接作用する部分であるため、接着剤を介して雄ねじ部２７ｂと雌ねじ部２６ｂとが固着されることによって、操作つまみ２２の固定強度を向上させることができる。また、基部２３からカバー部材２６が分離するのをより好適に規制することができる。
【００４７】
また、分離規制部がねじの螺合による係合構造であるので、基部２３からカバー部材２６が分離するのをより好適に規制することができる。また、基部２３に対するカバー部材２６の組付性に優れる。
また、リング状部材２７が、基部２３の筒部２３ｂに接着剤で固定されるので、基部２３に対してリング状部材２７を固定する際に接着剤がはみ出しても、カバー部材２６を装着する前にこれを除去しておくことができる。したがって、接着剤のはみ出しを抑制して装飾性を向上させることができる。
また、リング状部材２７は、基部２３に対して接着剤で固着（固定）されるので、被係合部を容易に設けることができる。これにより、既存の基部２３に対しても被係合部が備わる構造に容易に変更することができる。
【００４８】
また、装飾部材２８がカバー部材２６の貫通孔２６ａを通じてカバー部材２６の外部から目視可能である。したがって、装飾性をより向上させることができる。また、接着剤がはみ出して貫通孔２６ａ内に入り込むことが好適に抑制される。したがって、生産性の低下を来すおそれもない。
【００４９】
以上、本発明の実施形態について説明したが、本発明は前記実施形態で説明した例に限定されない。
例えば、被係合部（リング状部材２７）と係合部（カバー部材２６）との構成は、凹部と凸部との嵌合によるものや、圧入によるものであってもよい。
凹部と凸部との嵌合によるものは、凹状および凸状の形状により、例えば、平らな面同士による接着構造に比べて接着面積が増加するので、強固な固着を実現できる。また、接着面積が増加するので、平らな面同士による接着構造に比べて接着剤のはみ出しが抑制される。
また、圧入によるものは、例えば、基部２３とカバー部材２６との圧入面の少なくとも一方に、軸方向に延在する溝を形成するのがよい。このようにすることによって、接着面積が増加する構造とすることができ、強固な固着を実現できる。この場合にも、接着剤のはみ出しが抑制される。また、軸方向に延在する溝に入り込んだ接着剤は、操作つまみ部２２を回動操作する周方向と直交する軸方向に延在するので、基部２３にカバー部材２６を保持するくさびとして好適に機能する。これにより、移動フード２０（操作つまみ部２２）の回動方向に対する強度が向上する。
【００５０】
また、被係合部は、基部２３の筒部２３ｂ等に対して一体に設けられたものであってもよい。また、基部２３は、リング状部材２７がアウトサート成形されるものであってもよい。
【００５１】
また、リング状部材２７は、金属製のものを示したが、これに限られることはなく、樹脂製であってもよい。
また、移動フード２０は、全体的に、あるいは部分的に金属製の部材で構成されるようにしてもよい。
【００５２】
また、カバー部材２６は、カバー部材２６の内側にリング状部材２７（被係合部）が配置されるものであれば、基部２３の筒部２３ｂの一部を部分的に覆うものであってもよい。
【００５３】
また、前記実施形態では、本体１１の載置面１２に両軸型の魚釣用リールＲが載置されるものを示したが、これに限られることはなく、魚釣用スピニングリールが本体に固定される構成のリール固定装置に対しても好適に適用することができる。
【符号の説明】
【００５４】
１      竿杆
１０    リール固定装置
２０    移動フード（フード）
２１    挿入部
２２    操作つまみ
２３    基部
２６    カバー部材
２６ｂ  雌ねじ部（係合部、分離規制部）
２７    リング状部材
２７ｂ  雄ねじ部（被係合部、分離規制部）
Ｒ      魚釣用リール
Ｒ１    釣竿取付脚
【図１】
2018068227.tif 000003
【図２】
2018068227.tif 000004
【図３】
2018068227.tif 000005
【図４】
2018068227.tif 000006
【図５】
2018068227.tif 000007